(57)【特許請求の範囲】
【請求項１】
リールシートからなる中空の筒状体と、前記筒状体の一端に設けられた第１部材と、前記筒状体の他端に設けられたグリップ本体からなる第２部材と、前記第１部材および前記筒状体を貫通し、前記第２部材に末端が配置されるロッドブランクとからなり、
前記ロッドブランクは、前記第１部材で固定支持され、前記第２部材で弾性支持され、前記第１部材と前記第２部材との間に渡って、前記筒状体内では接触せずに浮遊状態に保たれ、前記ロッドブランクのまわりに空隙が形成されており、
魚信があったとき、その振動が、前記ロッドブランクに生じ、前記第１部材を通過し、前記筒状体および前記第２部材の位置において、前記ロッドブランクの末端まで伝達され、前記ロッドブランクの末端から反射し、逆方向に伝達され、共振現象によって増幅され、前記第１部材でそれを受けることを特徴とするフィッシングロッド。
【請求項２】
前記第１部材はグリップヘッドとスリーブからなり、前記グリップヘッドはキャップ状のもので、金属製であり、スリーブも金属製であり、前記ロッドブランクが前記スリーブにはめ込まれ、固定され、前記グリップヘッドによって前記スリーブが被覆されていることを特徴とする請求項１に記載のフィッシングロッド。
【請求項３】
前記筒状体は金属製であり、前記リールシートの一端において、前記スリーブが前記リールシートにはめ込まれ、固定され、前記グリップヘッドによってその部分が被覆されていることを特徴とする請求項２に記載のフィッシングロッド。
【請求項４】
前記グリップヘッド、スリーブおよびリールシートはジュラルミン製であり、前記ロッドブランクは中空のもので、グラファイト製であることを特徴とする請求項３に記載のフィッシングロッド。
【請求項５】
前記第２部材はコルク製、スポンジ製または木製であり、前記ロッドブランクは前記グリップ本体に差し込まれ、弾性支持されていることを特徴とする請求項４に記載のフィッシングロッド。
【発明の詳細な説明】
【０００１】
【産業上の利用分野】
この発明は、海、河川または湖のフィッシングに使用するフィッシングロッドに関するものである。
【０００２】
海、河川または湖のフィッシングにおいて、魚信があったとき、その振動がフィッシングロッドに生じるが、それは大きい振動であるとは限らない。むしろ、小さい振動であることが多い。このため、確実に魚信を知覚し、それに瞬間的に反応することができず、釣果が得られない場合が少なくないのはその都度経験するところである。
【０００３】
【発明の目的】
したがって、この発明は、フィッシングロッドを根本的に改良し、その性能を大幅に高め、魚信があったとき、確実にそれを知覚することができるようにすべくなされたものである。
【０００４】
【発明の構成】
この発明によれば、ロッドブランクが中空の筒状体と組み合わされ、第１部材が筒状体の一端に設けられ、第２部材が筒状体の他端に設けられ、ロッドブランクは第１部材および筒状体を貫通し、第２部材に達する。さらに、ロッドブランクが第１部材に固定され、第２部材に弾性支持され、筒状体内において、ロッドブランクのまわりに空隙が形成される。したがって、魚信があったとき、その振動がロッドブランクに生じ、第１部材を通過し、筒状体および第２部材の位置において、振動がロッドブランクの末端まで伝達され、ロッドブランクの末端から反射し、逆方向に伝達され、共振現象によって振動が増幅され、第１部材がそれを受ける。
【０００５】
好ましい実施例では、第１部材はグリップヘッドとスリーブからなり、グリップヘッドはキャップ状のもので、金属製である。スリーブも金属製であり、ロッドブランクはスリーブにはめ込まれ、固定される。そして、グリップヘッドによってスリーブが被覆される。
【０００６】
さらに、筒状体はリールシートからなり、金属製であり、リールシートの一端において、スリーブはリールシートにはめ込まれ、固定される。そして、グリップヘッドによってその部分が被覆される。
【０００７】
グリップヘッド、スリーブおよびリールシートはジュラルミン製であることが好ましい。ロッドブランクは中空のもので、グラファイト製であることが好ましい。
【０００８】
一方、第２部材はグリップ本体からなり、コルク製、スポンジ製または木製であり、リールシートの他端において、グリップ本体がリールシートに固定され、ロッドブランクはグリップ本体に差し込まれ、弾性支持される。
【０００９】
【実施例の説明】
以下、この発明の実施例を説明する。
【００１０】
図１において、これは海、河川または湖のフィッシングに使用するフィッシングロッドであり、ロッドブランク１が中空の筒状体と組み合わされ、第１部材が筒状体の一端に設けられ、第２部材が筒状体の他端に設けられており、ロッドブランク１は第１部材および筒状体を貫通し、第２部材に達する。さらに、ロッドブランク１が第１部材に固定され、第２部材に弾性支持されており、筒状体内において、図２に示すように、ロッドブランク１のまわりに空隙２が形成されている。
【００１１】
この実施例では、第１部材はグリップヘッド３とスリーブ４からなり、グリップヘッド３はキャップ状のもので、ジュラルミン製であり、金属製である。スリーブ４もジュラルミン製であり、金属製であり、ロッドブランク１はスリーブ４にはめ込まれ、ジャストフィットされ、固定されている。さらに、グリップヘッド３がスリーブ４にはめ合わされ、グリップヘッド３によってスリーブ４が被覆されている。ロッドブランク１は中空のもので、グラファイト製である。
【００１２】
さらに、筒状体はリールシート５からなり、これもジュラルミン製であり、金属製であり、リールシート５の一端において、スリーブ４はリールシート５にはめ込まれ、ジャストフィットされ、固定されている。そして、グリップヘッド３によってその部分が被覆されている。リールシート５はリールを取り付けるためのもので、複数の孔６を有する。さらに、リールシート５の一端にねじが形成されており、グリップヘッド３をそれにねじ合わせ、グリップヘッド３によってリールのフット部を被覆し、固定することができる。
【００１３】
したがって、グリップヘッド３およびスリーブ４がリールシート５の一端に設けられ、ロッドブランク１はグリップヘッド３、スリーブ４およびリールシート５を貫通し、グリップヘッド３およびスリーブ４に固定されているものである。さらに、リールシート５内において、ロッドブランク１のまわりに空隙２が形成されており、その状態を孔６から認識することができる。
【００１４】
一方、第２部材はグリップ本体７からなり、コルク製であり、リールシート５の他端において、グリップ本体７はリールシート５に固定されている。したがって、グリップ本体７がリールシート５の他端に設けられているものであり、ロッドブランク１はリールシート５を貫通し、グリップ本体７に達し、グリップ本体７に差し込まれ、弾性支持されている。グリップ本体７はコルク製であり、弾性をもつ。したがって、ロッドブランク１をグリップ本体７に差し込むと、それによってロッドブランク１を弾性支持することができる。
【００１５】
なお、グリップヘッド３によってリールのフット部を固定することができるのは前述したとおりであるが、グリップヘッド３はそれだけのものではない。グリップヘッド３は指先８を押し付けるためのものである。キャスティング後、片手でグリップ本体７またはリールシート５をグリップし、指先８をグリップヘッド３に押し付けると、それによってフィッシングロッド全体を安定させることができる。
【００１６】
そして、このフィッシングロッドにおいて、魚信があったとき、その振動がロッドブランク１に生じるが、ロッドブランク１はグリップヘッド３およびスリーブ４に固定され、拘束されているだけである。ロッドブランク１とリールシート５の関係については、リールシート５内において、ロッドブランク１のまわりに空隙２が形成され、ロッドブランク１は浮遊状態に保たれており、リールシート５に拘束されていない。ロッドブランク１とグリップ本体７の関係についても、ロッドブランク１はグリップ本体７に弾性支持されているだけであり、拘束されていない。
【００１７】
したがって、振動はロッドブランク１に沿って伝達され、グリップヘッド３およびスリーブ４を通過する。さらに、リールシート５およびグリップ本体７の位置において、振動がロッドブランク１の末端まで伝達され、それが一次振動ａとして作用し、ロッドブランク１の末端から反射する。これによって二次振動ｂが生じ、これが逆方向に伝達され、一次振動ａと二次振動ｂによって共振現象が生じる。したがって、共振現象によって振動が増幅され、グリップヘッド３およびスリーブ４がそれを受ける。
【００１８】
したがって、魚信があったとき、その振動がロッドブランク１に生じると、小さい振動であっても、共振現象によってそれが増幅され、増幅された振動がグリップヘッド３に伝達され、指先８に伝達される。したがって、確実に魚信を知覚し、それに瞬間的に反応することができる。
【００１９】
なお、グリップヘッド３、スリーブ４およびリールシート５は金属製であり、ロッドブランク１がそれに固定されていることは前述したとおりである。したがって、増幅した振動を確実に伝達することができる。特に、この実施例では、グリップヘッド３、スリーブ４およびリールシート５はジュラルミン製であり、その振動伝達性はきわめて高く、好ましい。
【００２０】
ロッドブランク１は中空のもので、グラファイト製であることも前述したとおりである。したがって、軽量であるだけではなく、その強度およびしなり性が高く、好ましい。
【００２１】
グリップ本体７については、それがコルク製であるものを説明したが、必ずしもその必要はない。グリップ本体７はスポンジ製であってもよく、木製であってもよい。要するに、ロッドブランク１を弾性支持することができるものであればよいものである。
【００２２】
【発明の効果】
以上説明したように、この発明によれば、魚信があったとき、小さい振動であっても、共振現象によってそれが増幅される。この結果、確実に魚信を知覚し、それに瞬間的に反応することができ、初期の目的を達成することができるものである。
【図面の簡単な説明】
【図１】この発明の実施例を示す側面図である。
【図２】図１のフィッシングロッドの断面図である。
【符号の説明】
１  ロッドブランク
２  空隙
３  グリップヘッド
４  スリーブ
５  リールシート
７  グリップ本体
【図１】
0004653873.tif 000002
【図２】
0004653873.tif 000003